(57)【要約】【課題】シートを補充する際の作業性を向上させるとともに、カセット自体の剛性低下を防止できる構成を備えたシート収容カセットを提供する。【解決手段】シートを積載可能なシート載置板２が傾動可能に収納されているカセット本体１Ａと、シート載置板２を懸垂支持し、該シート載置板２を上昇させる方向に変位可能な吊り上げ作動用手段４とを備え、吊り上げ作動用手段４は、カセット本体１Ａにより基端が支持されることにより垂直方向で揺動可能に設けられ、揺動端がカセット本体１Ａにおけるシート繰り出し方向前方側に位置する壁部１Ａ１の内側に位置決めされ、カセット本体１Ａの上面から一部４Ｂのみを突出させて収納されていることを特徴とする。【選択図】図２
2007284235.tif 000002
【特許請求の範囲】
【請求項１】
シートを積載可能なシート載置板が傾動可能に収納されているカセット本体と、
上記シート載置板を懸垂支持し、該シート載置板を上昇させる方向に変位可能な吊り上げ作動用手段とを備え、
上記吊り上げ作動用手段は、上記カセット本体により基端が支持されることにより垂直方向で揺動可能に設けられ、揺動端が上記カセット本体におけるシート繰り出し方向前方側に位置する壁部の内側に位置決めされ、該カセット本体の上面から一部のみを突出させて収納されていることを特徴とする給紙カセット。
【請求項２】
上記吊り上げ作動用手段は、上記カセット本体の上面から突出する一部がカセット近傍に設けられているガイド部に乗り上げることにより上記シート載置板をカセット本体の底面に達している状態から上昇させる状態へと揺動態位を設定される構成であることを特徴とする請求項１記載の給紙カセット。
【請求項３】
上記吊り上げ作動用手段には、上記給紙カセットの上面から突出する一部の他に、揺動端側に上記シート載置板を上方させる向きに揺動した際に該給紙カセットの上面から外部に露呈し、上記ガイド部に乗り上げることができる上昇駆動部が設けられていることを特徴とする請求項１または２記載の給紙カセット。
【請求項４】
上記吊り上げ作動用アームにおける上記ガイド部に乗り上げる上昇駆動部は、該吊り上げ作動用手段の幅よりの大きくなる延長長さを設定され、該延長部は、上記吊り上げ作動用手段の幅中心を基準として該幅方向端部よりもはみ出た部分のうちで少なくとも上記シート載置板の幅方向中央側に位置する延長部が上記ガイド部に乗り上げる構成であることを特徴とする請求項２または３のいずれかに記載の給紙カセット。
【請求項５】
上記吊り上げ作動用手段における上昇駆動部は、上記ガイド部を摺動もしくは転動する構成であることを特徴とする請求項３または４記載の給紙カセット。
【請求項６】
請求項１乃至５のいずれかに記載の給紙カセットを用いるシート搬送装置であって、
上記給紙カセットの着脱部を備え、該着脱部には、該給紙カセットが着脱移動する際の水平方向及び垂直方向の位置を規定する位置決め部が設けられていることを特徴とするシート搬送装置。
【請求項７】
上記水平方向の位置決め部は、上記給紙カセットにおけるシートの繰り出し方向と直角な方向に相当する幅方向両壁部を給紙装置側の嵌合部に嵌合させる構成であることを特徴とする請求項６記載の給紙装置。
【請求項８】
上記垂直方向の位置決め部は、上記給紙カセットにおけるシートの繰り出し方向と直角な方向に相当する幅方向両壁部外面及びこれに対応する給紙装置側に設けられた嵌合部が用いられることを特徴とする請求項６記載の給紙装置。
【発明の詳細な説明】
【技術分野】
【０００１】
本発明は、シート収容カセットおよびシート搬送装置に関し、さらに詳しくは、シート載置板の昇降機構に関する。
【背景技術】
【０００２】
複写機やファクシミリ装置あるいはプリンタや印刷機などの画像形成装置には、記録用紙やＯＨＰフィルムなどのシート状記録媒体（以下、記録シートと称して説明する）上に転写されて担持されている未定着画像を加熱定着して複写物や印刷出力を得るようになっている。
【０００３】
記録シートは、装置内に装備されているシートカセットやシートトレイに搭載されたものが順次繰り出されて転写位置に向け給送される構成が一般的に知られている。
【０００４】
転写位置に向け繰り出される記録シートを収容する構成としては、カセット内に落とし込まれたシート載置板をシートの繰り出し方向後方側を支点としてシートの繰り出し方向前方側が昇降できるようにした構成が知られている（例えば、特許文献１）。  
シート載置板は、シートの繰り出し方向前方側が昇降できることにより、上昇時には、カセット近傍上方に位置する繰り出しローラに対して積載された記録シートにおける最上位のものを当接させて繰り出すことができ、下降時には載置板上への記録紙シートの補充が行えるようになっている。
【０００５】
シート載置板におけるシート繰り出し方向前方側の昇降させるために用いられる構成の一つに、特許文献１に開示されているように、シート載置板におけるシート繰り出し方向前方側にバネを係止してその前方側を懸垂支持する構成がある。
【０００６】
懸垂支持を利用するシート載置板の支持構造においては、例えば、カセットが画像形成装置に対して着脱可能に設けられているような場合、特許文献１に開示されているように、画像形成装置内に装着される方向に移動するのに伴いシート載置板を上昇させる方式を用いることがある。
【０００７】
図１５は、カセットの装着時にシート載置板を上昇させる方式の一例を示す図であり、同図に示すシート収容カセットは、カセット本体Ａの側壁Ａ１においてシート繰り出し方向（図中、矢印で示す方向）の前方側に設けられている揺動可能な吊り上げ動作用アームＢを備えており、吊り上げ動作用アームＢは、図１６に示すように、カセットの側壁Ａ１に設けられている支軸Ｂ１を境にして両側に揺動端を有したシーソー運動可能な部材が用いられている。
【０００８】
吊り上げ動作用アームＢにおける揺動端の一方には、カセットＡ内に落とし込まれたシート載置板Ｃの揺動端との間に各端部が掛け止められているバネなどの弾性体Ｄが設けられており、吊り上げ動作用アームＢの揺動態位に応じて収縮状態を変化させることにより伸張時にはシート載置板Ｃを牽引して上昇させる態位を設定し、収縮時にはシート載置板Ｃの自重による下降態位をそれぞれ設定できるようになっている。なお、シート載置板Ｃは、シートの繰り出し方向後方側を揺動支点としてシートの繰り出し方向前方側の端部が弾性体Ｄにより牽引されると上昇する方向に揺動できる構成とされている。
【０００９】
吊り上げ動作用アームＣは、画像形成装置内に挿入される際に画像形成装置内のカセット装着路側に設けてある凸部Ｅに衝突すると、図１７に示すように、反時計方向に回動することにより弾性体Ｄを伸張させてシート載置板Ｃを牽引することにより上昇させることができるようになっている。この態位においては、シート載置板Ｃに載置されているシートのうちで最上位のものが繰り出しローラＦに当接して繰り出し状態が設定される。
【００１０】
また、吊り上げ作動用アームＢの構成としては、図１８に示す構成を用いる場合もある。つまり、吊り上げ作動用アームＢ１０は、カセットＡの側壁Ａ１に設けられている支軸Ｂ１１を基端に有して揺動することができる部材で構成され、揺動端側がカセットＡの上方に向け突出する習性を弾性体Ｄにより付与されたカセットＡの幅方向に延長されたガイドピンＢ１２が設けられており、ガイドピンＢ１２は、図１９に示すように、カセットＡの装着路側に設けられているガイド部材Ｅ１０の傾斜面に対向するようになっている。
【００１１】
カセットＡは、画像形成装置内に装着される方向に移動すると、図２０に示すように、吊り上げ作動用アームＢ１０に有するガイドピンＢ１２がガイド部材Ｅ１０の傾斜面に乗り上げて行くに従い揺動し、この揺動に対応して弾性体Ｄが伸張されて牽引されることによりシート載置板Ｃが上昇し、図２１に示すように、シート載置板Ｃを、これに載置されているシートの最上位のものが繰り出しローラＦに当接させるようになっている。
【００１２】
【特許文献１】特開平１０−３５９０３号公報
【発明の開示】
【発明が解決しようとする課題】
【００１３】
吊り上げ作動用アームＢ、Ｂ１０を用いた構成においては、吊り上げ作動用アームＢ、Ｂ１０がカセットＡ内で揺動可能に支持されているものの、カセット挿入路中に位置する凸部Ｅやガイド部材Ｅ１０と対向する位置関係が必要となる。このため、凸部Ｅを用いた場合には、図Ａに示すように、シートの繰り出し方向前方側に位置するカセットＡの前面壁Ａ２において吊り上げ作動用手段Ｂの設置位置に対応させ対置を切り欠く構造とされている。このような前面壁Ａ２の一部を欠如させると、カセットＡの幅方向で反りなどが生じやすくなり、持ち運びの際などにカセットが幅方向に湾曲して破損する虞がある。しかも、吊り上げ作動用アームに係止されている弾性体がカセット外部に露出するような構成であると、弾性体に人手や摺動路中に存在する部材などと接触した場合には破損する虞もあり、正常な吊り上げ動作が不能となることもある。
【００１４】
また、図１８に示したように、弾性体Ｄの付勢によりカセットＡの上方に向け突出する習性を利用してガイド部材Ｅ１０にガイドピンＢ１２を乗り上げさせる構成には、シート載置板Ｃに搭載されるシートの枚数から得られる重量によってシート載置板Ｃがカセット底面まで達しない状態、いわゆる底面からシート載置板Ｃが浮き上がった状態のままとなることがある。このため、定置状態にないシート載置板Ｃが挿入されるシートの押し動かされて挙動が不安定となりやすく、シートの挿入が不安定となったり、補充のために挿入されるシートがシート載置板に有する孔縁などに衝突して円滑な補充が妨げられてしまう虞もある。
【００１５】
このような不具合は、シート載置板に積載される記録シートの枚数にも原因がある。つまり、シート載置板に係止されている弾性体は、積載される記録シートの重量に基づき牽引できる張力が設定されており、枚数が少なく比較的軽量となる枚数を対象とする場合にはシート載置板がカセット底面に達することができる程度の張力である反面、枚数が多く重量が大きくなる枚数を対象とする場合には牽引力も強くすることからシート載置板がカセット底面に達しにくく、浮き上がったままとなりやすい。
【００１６】
しかも、積載枚数を多くできるようにすることを対象とした場合には、シート載置板を瞬間的に繰り出し位置まで上昇させるために大きな上昇力を必要とするため、この点からいっても牽引力の大きい弾性体を設置することとなり、これが原因して上述したシート載置板の浮き上がりを助長することになる。  
従って、積載枚数が多くなるシート載置板を用いた場合には、シートの円滑な補充作業が妨げられやすくなる。
【００１７】
本発明の目的は、上記従来のシート収容カセットにおける問題に鑑み、シートを補充する際の作業性を向上させるとともに、カセット自体の剛性低下を防止できる構成を備えたシート収容カセット及び給紙装置を提供することにある。
【課題を解決するための手段】
【００１８】
この目的を達成するため、本発明は次の構成よりなる。
（１）シートを積載可能なシート載置板が傾動可能に収納されているカセット本体と、
上記シート載置板を懸垂支持し、該シート載置板を上昇させる方向に変位可能な吊り上げ作動用手段とを備え、
上記吊り上げ作動用手段は、上記カセット本体により基端が支持されることにより垂直方向で揺動可能に設けられ、揺動端が上記カセット本体におけるシート繰り出し方向前方側に位置する壁部の内側に位置決めされ、該カセット本体の上面から一部のみを突出させて収納されていることを特徴とする給紙カセット。
（２）上記吊り上げ作動用手段は、上記カセット本体の上面から突出する一部がカセット近傍に設けられているガイド部に乗り上げることにより上記シート載置板をカセット本体の底面に達している状態から上昇させる状態へと揺動態位を設定される構成であることを特徴とする（１）に記載の給紙カセット。
（３）上記吊り上げ作動用手段には、上記給紙カセットの上面から突出する一部の他に、揺動端側に上記シート載置板を上方させる向きに揺動した際に該給紙カセットの上面から外部に露呈し、上記ガイド部に乗り上げることができる上昇駆動部が設けられていることを特徴とする（１）または（２）に記載の給紙カセット。
（４）上記吊り上げ作動用アームにおける上記ガイド部に乗り上げる上昇駆動部は、該吊り上げ作動用手段の幅よりの大きくなる延長長さを設定され、該延長部は、上記吊り上げ作動用手段の幅中心を基準として該幅方向端部よりもはみ出た部分のうちで少なくとも上記シート載置板の幅方向中央側に位置する延長部が上記ガイド部に乗り上げる構成であることを特徴とする（２）または（３）に記載の給紙カセット。
（５）上記吊り上げ作動用手段における上昇駆動部は、上記ガイド部を摺動もしくは転動する構成であることを特徴とする（３）または（４）に記載の給紙カセット。
（６）（１）乃至（５）のいずれかに記載の給紙カセットを用いるシート搬送装置であって、
上記給紙カセットの着脱部を備え、該着脱部には、該給紙カセットが着脱移動する際の水平方向及び垂直方向の位置を規定する位置決め部が設けられていることを特徴とするシート搬送装置。
（７）上記水平方向の位置決め部は、上記給紙カセットにおけるシートの繰り出し方向と直角な方向に相当する幅方向両壁部を給紙装置側の嵌合部に嵌合させる構成であることを特徴とする（６）に記載の給紙装置。
（８）上記垂直方向の位置決め部は、上記給紙カセットにおけるシートの繰り出し方向と直角な方向に相当する幅方向両壁部外面及びこれに対応する給紙装置側に設けられた嵌合部が用いられることを特徴とする（６）に記載の給紙装置。
【発明の効果】
【００１９】
請求項１記載の発明によれば、シート載置板上昇変位させる吊り上げ作動用アームがカセット本体の上面から一部を露呈させるだけでカセットの壁部内に収納されているので、カセット本体の壁部に吊り上げ作動用手段を突出させるための欠除部を設ける必要がなく、これによって壁部の剛性を低下させないようにすることができる。しかも、シート載置板を懸垂支持する吊り上げ動作用手段がカセットの壁部内側に収納されていることにより、例えば、吊り上げ作動用手段とシート載置板との間に従来構造のような弾性体を配置した場合でも弾性体がカセットの外部に露出することがないので、弾性体の破損が防止できることになる。
【００２０】
請求項２および３記載の発明によれば、シート載置板がカセット本体の底面に位置する状態から上昇する状態へと態位を変化させる駆動機構として、カセット近傍に位置するガイド部に吊り上げ作動用アームが乗り上げる構成としているので、カセットが移動するのに連動するだけの簡単な構成によりシート載置板をシートの繰り出し位置に移動させることができる。これにより、シート載置板がカセット本体の底面に達した状態を基準としてシートの繰り出し態位を設定できるので、シート載置板が浮いた状態となることがなく、シートの補充に際してのシート載置板の挙動が不安定となることを防止できる。
【００２１】
請求項４記載の発明によれば、吊り上げ作動用手段に有する上昇駆動部の延長部のうちで吊り上げ作動用手段の幅中心を基準としてシート載置板の幅方向中央側に位置する延長部がガイド部に乗り上げる構成であるので、シート載置板に作用する重量により吊り上げ作動用手段がシート載置板の幅方向中央側に傾動するのを阻止して円滑な乗り上げ動作を維持することができる。
【００２２】
請求項５記載の発明によれば、上昇駆動部がガイド部上を摺動もしくは転動する構成であるので、ガイド部との間の抵抗を軽減しながら移動することができる。
【００２３】
請求項６記載の発明によれば、給紙カセットの着脱部に給紙カセットの水平方向及び垂直方向での位置を規定する位置決め部が設けられているので、給紙カセットが着脱移動する際にガイド部から上昇駆動部が脱落するような事態を防止することができる。
【００２４】
請求項７および８記載の発明によれば、位置決め部が互いに嵌合する構成であるので不用意な抜けなどを防止して適正な位置決めが行える。
【発明を実施するための最良の形態】
【００２５】
以下、図を用いて本発明を実施するための最良の形態について説明する。
【００２６】
図１は、本発明に係るシート収容カセットとして、記録紙などを収容可能な給紙カセットを示す斜視図であり、同図において給紙カセット１は、天井部が開放されたカセット本体１Ａで構成されており、内部にはシートを積載するためのシート載置板２が収容されている。
【００２７】
シート載置板２は、シートの繰り出し方向（図中、矢印で示す方向）後方側に位置する揺動支軸２Ａがカセット本体１Ａの幅方向両側に位置する側壁１Ａ１に設けられて揺動可能な部材が用いられている。  
シート載置板２における揺動端側には、図２に示すように、シート載置板２の揺動端側をバネなどの弾性体３を介して懸垂支持し、該シート載置板２の揺動端側を上昇させる方向に変位可能な吊り上げ作動用手段としてのアーム（以下、これを便宜上、吊り上げ作動用アームという）４が設けられている。
【００２８】
吊り上げ作動用アーム４は、カセット本体１Ａの両側壁１Ａの対向位置に設けられており、側壁１Ａ１に対して支軸４Ａを介して基端が支持されることにより揺動することができる部材であり、揺動端がカセット本体１Ａにおけるシート繰り出し方向前方側に位置する前壁部１Ａ２の内部に位置決めされてカセット本体１Ａの内部に収容されるようになっている。  
吊り上げ作動用アーム４には、基端から揺動端に至る途中の上面の一部にカセット本体１Ａの幅方向に平行して延長されたロッドで構成されて上昇駆動部の一つをなす起伏部４Ｂが設けられており、起伏部４Ｂがカセット本体１Ａの側壁上面に突き当たることで吊り上げ作動用アーム４の一部のみがカセット本体１Ａから突出し、その他の部分がカセット本体１Ａの内部に収容される関係とされている。
【００２９】
一方、吊り上げ作動用アーム４の揺動端には、図２に示すように、起伏部４Ｂとは別にカセット本体１Ａの幅方向と平行して延長されたロッドで構成されて上昇駆動部の他の一つをなす上昇駆動ピン４Ｃが設けられている。
【００３０】
起伏部４Ｂは、図３及び図４に示すように、吊り上げ作動用アーム４に一体化されたロッド（図３参照）で構成されることで後述するガイド部表面を摺動できる構成あるいは、図４に示すように、ロッドに支持されたコロで構成されることにより後述するガイド部の表面を転動する構成が用いられている。  
図３に示したロッドの場合には接触面を小さくすることで、そして図４に示したコロを用いた場合には転動することでそれぞれガイド部を移動する際の摺動抵抗を軽減して給紙カセット１を装着する際の押し込み力の軽減を図るようになっている。
【００３１】
吊り上げ作動用アーム４は、給紙装置側に設けられているガイド部と干渉することで乗り上げる方向に変位することができるようになっている、以下、このための構成を説明する。  
図５乃至図９は、給紙カセット１が装着される給紙装置等のシート搬送装置（以下、便宜上、給紙装置という）側に設けられているカセットの着脱部に関する構成を説明するための図であり、図５において、給紙カセット１の着脱路には、給紙カセット１の装着方向（図５において矢印Ｆで示す方向）に沿って上流側から下流側の順で起伏用ガイド部５，上昇ガイド部６がそれぞれ設けられている。
【００３２】
図７および図８は、起伏用ガイド部５の実装状態を示す図であり、同図において給紙装置側のカセット着脱路Ｌには、傾斜面５Ａを有した起伏ガイド部５が設けられており、傾斜面５Ａには吊り上げ作動用アーム４の起伏部４Ｂにおける延長方向でアーム本体の幅方向中心を境にした外側の延長部が乗り上げる位置関係とされている。
【００３３】
一方、図９は、上昇ガイド部６の実装状態を示す図であり、同図において、給紙装置におけるカセット着脱路Ｌにおける装着完了位置近傍には、凹部両側に傾斜面６Ａを有した上昇ガイド部６が設けられている。  
傾斜面６Ａは、吊り上げ作動用アーム４に有する上昇駆動ピン４Ｃの延長方向で少なくともシート載置板２の幅方向中央側に対応する延長部が干渉する位置関係とされ、図８に示す構成では、上昇駆動ピン４Ｃの延長方向両側が傾斜面６Ａに干渉する構成とされている。このように、少なくともシート載置板２の幅方向中央側に対応する上昇駆動ピン４Ｃの延長部を傾斜面６Ａに干渉させることにより、傾斜面６Ａに乗り上げて移動する際にシート載置板２上の積載シートの重量によって吊り上げ作動用アーム４がシート載置板２の幅方向中央側に傾くのを防止して傾斜面６Ａを移動する際の抵抗増加を防止することができる。
【００３４】
本実施形態においては、シートが積載されていない状態ではシート載置板２がカセット本体１Ａの底面に達する状態とされている。この状態は、吊り上げ作動用アーム４における起伏部４Ｂがカセット本体１Ａの側壁１Ａ１上面に当接した際にーと載置板２がカセット本谷１Ａの底面に達するように弾性体３の弾性力を設定することで可能となる。これにより、シート載置板２がカセット本体１Ａの底面から浮き上がることがないので、シートの補充に際して挿入されるシートによってシート載置板２が押し動かされてもカセット本体２の底面に定置したままであるので、シートの補充作業を容易となる。
【００３５】
また、吊り上げ作動用アーム４が起伏部４Ｂを除いてこれ以外の部分をカセット本体１の側壁１Ａ１のない方に収容されていることから吊り上げ作動用アームとシート載置板２との間に配置されている弾性体３が外部に露出することがなく、破損する機械を少なくされる。
【００３６】
一方、給紙カセット１を給紙装置に装着する場合には、給紙カセット１が給紙装置側の着脱路Ｌに挿入されると、カセット挿入方向上流側に位置する起伏ガイド部５に対して吊り上げ作動用アーム４の起伏部４Ｂが干渉し、傾斜面５Ａに乗り上げて移動することによりシート載置板２が上昇する方向に吊り上げ作動用アーム４を揺動させる。この状態は、図５に示す状態である。
【００３７】
給紙カセット１を給紙装置内にさらに挿入していくと、起伏ガイド５に乗り上げることでシート載置板２を上昇さえる方向に起きあがった吊り上げ作動用アーム４は、上昇駆動部４Ｃが上昇ガイド部６に干渉することでさらにシート載置板２を上昇させる方向に揺動し、装着完了時には図６に示すように、シート載置板２を繰り出しローラ１０に対向させる位置に位置決めする。
【００３８】
このように、吊り上げ作動用アーム４は、カセット本体１Ａから必要最小限の部材である起伏部４Ｂのみを外部に露出させて他の部分をカセット本体１穴井に収容することでカセット本体１Ａの前壁１Ａ２への欠除構造を不要とする一方、起伏と上昇駆動との２段の動作を行うことで揺動半径の違いを利用してシート載置板２の上昇行程を確保できるので、不用意に給紙カセット１上方での張り出し部材が存在するようなことをなくすことができる。
【００３９】
給紙カセット１は、吊り上げ作動用アーム４が起伏及び上昇の各ガイド部５，６と干渉することが必要条件となる構成であるので、吊り上げ作動用アーム４における起伏部４Ｂと起伏ガイド部５との位置関係及び上昇駆動ピン４Ｃと上昇ガイド部６との位置関係の精度を確保しておく必要がある。そこでお、本実施形態では、位置関係の精度を高める構成が用いられている、以下、この構成について説明する。  
図１０は、位置関係を規定するための原理を説明する模式図であり、同図において給紙カセット１は、水平方向および垂直方向の位置決め部として、水平方向では、給紙カセット１の着脱部においてシートの繰り出し方向と対応するカセットの装着方向（図中、矢印Ｆで示す方向）と直角な方向での幅寸法Ｌ１に嵌合が可能な余裕分αを加えて給紙カセット１の側壁間の幅寸法Ｌ２に近似させることにより水平方向での不用意なずれを防止し、垂直方向では、給紙カセット１の側壁１Ａ１に設けられているガイドレール部１Ｂに嵌合する凸部１１を着樽部側に設けることにより垂直方向での位置ずれを防止している。
【００４０】
図１１は、給紙カセット１のカセット本体１Ａにおける側壁１Ａ１に設けられているガイドレール１Ｂを示している。
【００４１】
本実施形態においては、給紙装置側でのカセット着脱部側と給紙カセット側とで互いに嵌合する部材を設けることにより水平方向及び垂直方向の位置が規定され、給紙カセット１が装着される際に吊り上げ作動用アーム４の起伏部４Ｂおよび上昇駆動ピン４Ｃが起伏ガイド部５および上昇駆動ガイド６から脱落しないようにすることができ、これにより各ガイド部に乗り上げた際の吊り上げ作動用アーム４の揺動態位によってシート載置板２をシートの繰り出し位置に設定することができる。
【００４２】
給紙カセット１は、給紙装置の着脱部において装着完了直前の位置決めも行えるようになっており、このための構成は、図１２に示すように、給紙カセット１のカセット本体１Ａにおける前壁１Ａ２に設けられた一対の截頭円錐形状の係合突起１Ａ２０とこれに対向する給紙装置側の着脱部に設けられている係合凹部（図示されず）とを互いに嵌合させる構成が用いられている。
【００４３】
一方、シート載置板２が上昇変位するときには吊り上げ作動用部材４の揺動方向に順じて弾性体３がシート載置板２を装着方向後方に向けて押し動かそうとする向きの力を発生する。つまり、図６に示すように、弾性体３が吊り下げ作動用アーム４の揺動位置によって傾斜した状態となることで傾斜方向に生起された張力（Ｐ）から水平方向の分力（Ｐ１）が発生し、この分力（Ｐ１）が給紙カセット１を装着方向（図中、矢印Ｆで示す方向）と反対方向に押し動かす力として作用することになる。このため、一旦装着し終わった給紙カセット１が不用意に移動してシート載置板２と繰り出しローラ１０との対向関係を悪化させることがある。そこで、本実施形態においては、図１３に示すように給紙カセット１のカセット本体底部に凸部１Ｃを設け、この凸部１Ｃを給紙装置側の嵌合部１２（図１４参照）に嵌合させることにより、装着方向と反対方向への移動を阻止するようになっている。この状態で給紙カセット１を給紙装置側から離脱する場合には、給紙カセット１の底部に位置する凸部１Ｃを給紙装置側の嵌合部１２から外れるように底部を持ち上げた状態で給紙装置から引き抜く。
【図面の簡単な説明】
【００４４】
【図１】本発明に係る給紙カセットの斜視図である。
【図２】図２に示した給紙カセットの側面視的な模式図である。
【図３】図２に示した給紙カセットに用いられる吊り上げ作動用アームの構成を説明するための斜視図である。
【図４】図３に示した吊り上げ作動用アームの要部変形例を説明するための斜視図である。
【図５】図２に示した給紙カセットの一態様を説明するための側面視的な模式図である。
【図６】図２に示した給紙カセットの他の態様を説明するための側面視的な模式図である。
【図７】図２に示した給紙カセットが装着される給紙装置側の着脱部に用いられる起伏ガイド部のうちの一方側の構成を説明するための部分的な斜視図である。
【図８】図２に示した給紙カセットが装着される給紙装置側の着脱部に用いられる起伏ガイド部のうちの他方側の構成を説明するための他の部分的な斜視図である。
【図９】図２に示した給紙カセットが装着される給紙装置側の着脱部に用いられる上昇ガイド部の構成を説明するための部分的な斜視図である。
【図１０】本発明の実施形態による給紙カセットの位置決め構造に関する原理を説明するための模式図である。
【図１１】図１０において説明した位置決め構造における給紙カセット側の構成を説明するための斜視図である。
【図１２】図２に示した給紙カセットにおける装着完了時での位置決め構造を説明するための部分的な斜視図である。
【図１３】図２に示した給紙カセットの位置ずれ防止機構を説明するための部分的な斜視図である。
【図１４】図１３に示した給紙カセットの位置ずれ防止機構の原理を説明するための模式図である。
【図１５】給紙カセットの従来構成の一例を説明するための斜視図である。
【図１６】図１５に示した給紙カセットの要部構成を説明するための側面視的な模式図である。
【図１７】図１５に示した給紙カセットの一態様を説明するための側面視的な模式図である。
【図１８】給紙カセットの他の従来例を示す斜視図である。
【図１９】図１８に示した給紙カセットの要部構成における一態様を説明するための側面視的な模式図である。
【図２０】図１８に示した給紙カセットの要部構成における他の態様を説明するための側面視的な模式図である。
【図２１】図２０に示した給紙カセットの要部構成における他の態様の進捗状態を説明するための側面視的な模式図である。
【符号の説明】
【００４５】
１  給紙カセット
１Ａ  カセット本体
１Ａ１  側壁
１Ａ２  前壁
２  シート載置板
３  弾性体
４  吊り上げ作動用アーム
４Ａ  支軸
４Ｂ  起伏部
４Ｃ  上昇駆動ピン
５  起伏ガイド部
６  上昇ガイド部
【図１】
2007284235.tif 000003
【図２】
2007284235.tif 000004
【図３】
2007284235.tif 000005
【図４】
2007284235.tif 000006
【図５】
2007284235.tif 000007
【図６】
2007284235.tif 000008
【図７】
2007284235.tif 000009
【図８】
2007284235.tif 000010
【図９】
2007284235.tif 000011
【図１０】
2007284235.tif 000012
【図１１】
2007284235.tif 000013
【図１２】
2007284235.tif 000014
【図１３】
2007284235.tif 000015
【図１４】
2007284235.tif 000016
【図１５】
2007284235.tif 000017
【図１６】
2007284235.tif 000018
【図１７】
2007284235.tif 000019
【図１８】
2007284235.tif 000020
【図１９】
2007284235.tif 000021
【図２０】
2007284235.tif 000022
【図２１】
2007284235.tif 000023